(57)【要約】【課題】複数の被写体の一連の動作のデータを有効活用すること【解決手段】情報生成装置１は、特徴点特定部４５と、リズム情報生成部４６とを備える。特徴点特定部４５は、被験者の一連の動作における所定の動作の時点を特定する。リズム情報生成部４６は、特徴点特定部４５により特定された所定の動作の時点に基づいて、当該一連の動作に関するリズム情報としての音データを生成する。また、情報生成装置１は、特徴点特定部４５と、報知画像生成部５３とを備える。特徴点特定部４５は、被験者の一連の動作における所定の動作の時点を特定する。報知画像生成部５３は、特徴点特定部４５により特定された所定の動作の時点に基づいて、当該一連の動作に関する報知画像を生成する。【選択図】図２
2014064123.tif 000002
【特許請求の範囲】
【請求項１】
被験者の一連の動作における所定の動作の時点を特定する特定手段と、
前記特定手段により特定された所定の動作の時点に基づいて、前記一連の動作に関する情報を生成する生成手段と、
を備えることを特徴とする情報生成装置。
【請求項２】
前記特定手段は、前記複数の所定の動作の時点を特定し、
前記生成手段は、前記特定手段により特定された複数の所定の動作の時点に基づいて、当該一連の動作のリズム情報を前記一連の動作に関する情報として生成することを特徴とする請求項１に記載の情報生成装置。
【請求項３】
前記被験者の一連の動作が撮像された複数の画像を前記生成手段により生成されたリズム情報に同期させて再生する再生手段を更に備えたことを特徴とする請求項２に記載情報生成装置。
【請求項４】
前記生成手段は、前記一連の動作に関する情報として、当該一連の動作を評価する情報を生成し、
前記生成手段により生成された情報を表示手段に表示させる表示制御手段を更に備えたことを特徴とする請求項１に記載の情報生成装置。
【請求項５】
前記特定手段は、前記複数の所定の動作の時点を特定し、
前記一連の動作を評価する複数の情報を記憶する記憶手段と、
前記特定手段により特定された複数の所定の動作の時点に基づいて、前記一連の動作のリズムを解析する解析手段と、
前記解析手段による解析結果に基づいて、前記記憶手段に記憶された複数の評価情報から特定の評価情報を選択する選択手段と、
を更に備え、
前記生成手段は、前記選択手段により選択された特定の情報に基づいて、前記一連の動作を評価する情報を生成することを特徴とする請求項４に記載の情報生成装置。
【請求項６】
前記被験者の一連の動作が撮像された複数の画像を取得する取得手段を更に備え、
前記特定手段は、前記取得手段により取得された複数の画像中の前記一連の動作における所定の動作の時点を特定することを特徴とする請求項１から５の何れかに記載の情報生成装置。
【請求項７】
情報生成装置が実行する情報生成方法であって、
被験者の一連の動作における所定の時点を特定する特定ステップと、
前記特定ステップにて特定された所定の時点に基づいて、前記一連の動作に関する情報を生成する生成ステップと、
を含むことを特徴とする情報生成方法。
【請求項８】
コンピュータに、
被験者の一連の動作における所定の時点を特定する特定ステップと、
前記特定ステップにて特定された所定の時点に基づいて、前記一連の動作に関する情報を生成する生成ステップと、
を実行させるプログラム。
【発明の詳細な説明】
【技術分野】
【０００１】
本発明は、情報生成装置、情報生成方法及びプログラムに関する。
【背景技術】
【０００２】
従来から、一連の動作をしている被写体を撮影した動画像のデータから、一連の動作に関するスピードの時間変化を示すグラフを生成する技術が知られている（特許文献１参照）。
【先行技術文献】
【特許文献】
【０００３】
【特許文献１】特開２０１０−１２７６３９号公報
【発明の概要】
【発明が解決しようとする課題】
【０００４】
しかしながら、特許文献１に記載の技術では、一連の動作に関するスピードの時間変化を示すグラフを生成するのみであり、このグラフを有効活用することについては考慮されていなかった。
【０００５】
本発明は、このような状況に鑑みてなされたものであり、被写体の一連の動作のデータを有効活用することを目的とする。
【課題を解決するための手段】
【０００６】
上記目的を達成するため、本発明の一態様の情報生成装置は、
被験者の一連の動作における所定の動作の時点を特定する特定手段と、
前記特定手段により特定された所定の動作の時点に基づいて、前記一連の動作に関する情報を生成する生成手段と、
を備えることを特徴とする。
【発明の効果】
【０００７】
本発明によれば、被写体の一連の動作のデータを有効活用することができる。
【図面の簡単な説明】
【０００８】
【図１】本発明の第１実施形態に係る情報生成装置１のハードウェアの構成を示すブロック図である。
【図２】図１の情報生成装置１の機能的構成のうち、リズム情報報知処理を実行するための機能的構成を示す機能ブロック図である。
【図３】プロゴルファのスイング解析データを可視化したグラフである。
【図４】プレーヤのスイング解析データを可視化したグラフである。
【図５】図２の機能構成を有する図１の情報生成装置１が実行するリズム情報報知処理の流れの一例を示すフローチャートである。
【図６】図２の機能構成を有する図１の情報生成装置１が実行するスイング解析処理の流れの一例を示すフローチャートである。
【図７】図２の機能構成を有する図１の情報生成装置１が実行するリズム情報生成処理の流れの一例を示すフローチャートである。
【図８】図２の機能構成を有する図１の情報生成装置１が実行する動画像再生処理の流れの一例を示すフローチャートである。
【図９】図１に示した情報生成装置１の機能的構成のうち、本発明の第２実施形態に係るリズム評価結果報知処理を実行するための機能的構成を示す機能ブロック図である。
【図１０】図９の機能構成を有する図１の情報生成装置１が実行するリズム評価結果報知処理の流れの一例を示すフローチャートである。
【図１１】図９の機能構成を有する図１の情報生成装置１が実行するスイング解析処理の流れの一例を示すフローチャートである。
【図１２】図９の機能構成を有する図１の情報生成装置１が実行するリズム解析処理の流れの一例を示すフローチャートである。
【図１３】図９の機能構成を有する図１の情報生成装置１が実行する報知処理の流れの一例を示すフローチャートである。
【図１４】評価情報が格納されたテーブルを示す図である。
【図１５】第２実施形態における報知画像の一例を示す図である。
【図１６】第２実施形態における報知画像の一例を示す図である。
【図１７】第２実施形態における報知画像の一例を示す図である。
【発明を実施するための形態】
【０００９】
以下、本発明の実施形態について、図面を用いて説明する。
【００１０】
［第１実施形態］
［構成］
図１は、本発明の第１実施形態に係る情報生成装置のハードウェアの構成を示すブロック図である。
情報生成装置１は、例えばデジタルカメラとして構成される。
【００１１】
情報生成装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体（被験者）を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
【００１８】
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１やＲＡＭ１３等に適宜供給される。
ここで、本実施形態では、例えば１／３０秒毎に１枚の撮像画像のデータが撮像部１６から順次出力されて、動画像のデータが構成される。即ち、以下においては、撮像画像とは、断りのない限り、動画像を構成する単位画像（フレーム画像やフィールド画像）であるものとする。
【００１９】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２０】
ドライブ２１には、磁気ディスク、光ディスク、光磁気ディスク、あるいは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
図２は、このような情報生成装置１の機能的構成のうち、リズム情報報知処理を実行するための機能的構成を示す機能ブロック図である。
リズム情報報知処理とは、撮像された動画像（複数の撮像画像）に含まれる被写体（被験者）の一連の動作の解析結果の情報に基づいて、当該一連の動作の各時点における各特徴点を特定し、当該特徴点にリズム情報（音情報）を対応付けて、当該動画像の再生時に当該リズム情報を当該特徴点と同期させて出力させるための一連の処理をいう。
本実施形態においては、情報生成装置１によって撮像された動画像に含まれるプレーヤのゴルフスイングの解析結果（以下、「プレーヤの解析結果」と呼ぶ）の情報に基づいて、一連の動作の特徴点を特定する例、及び、予め設定されているプロゴルファのゴルフスイングの解析結果（以下、「プロゴルファの解析結果」と呼ぶ）の情報に基づいて、一連の動作の特徴点を特定する例について説明する。ただし、情報生成装置１によって過去に撮像された動画像に含まれるプレーヤのゴルフスイングの解析結果の情報に基づいて、一連の動作の特徴点を特定することも可能である。
【００２２】
リズム情報報知処理が実行される場合には、図２に示すように、ＣＰＵ１１において、撮像制御部４１と、画像取得部４２と、画像解析部４３と、速度データ取得部４４と、特徴点特定部４５と、リズム情報生成部４６と、再生部４７と、リズム情報報知部４８とが機能する。
【００２３】
ただし、図２は例示であり、ＣＰＵ１１の機能の少なくとも一部を、ＧＡ（Ｇｒａｐｈｉｃｓ  Ａｃｃｅｌｅｒａｔｏｒ）等の画像処理を行うハードウェアを備えて、これに委譲しても良い。
【００２４】
リズム情報報知処理が実行される場合、記憶部１９の一領域として設けられた、取得画像記憶部６１と、解析データ記憶部６２と、リズム情報記憶部６３とが用いられる。
取得画像記憶部６１においては、撮像部１６から出力され、画像取得部４２により取得された動画像（複数の撮像画像）のデータが記憶されている。
解析データ記憶部６２においては、画像解析部４３から出力されたプレーヤの解析結果のデータ（後述）が記憶されている。また、解析データ記憶部６２においては、予め設定されたプロゴルファの解析結果のデータ（後述）も記憶されている。
リズム情報記憶部６３においては、リズム情報生成部４６から出力された、各特徴点（後述）に音データ（後述）が対応付けられた、プレーヤのスイング解析データ及びプロゴルファのスイング解析データ（後述）が記憶されている。
【００２５】
撮像制御部４１は、入力部１７を介して入力される各種撮像条件を設定し、撮像部１６における撮像の動作を制御する。
本実施形態においては、一連の動作をする被写体（プレーヤ）を撮像するため、撮像制御部４１は、撮像部１６に、被写体を連続的に撮像させ、動画像のデータとして出力させる。
【００２６】
画像取得部４２は、撮像部１６から出力された動画像のデータを取得する。その後、画像取得部４２は、動画像のデータをエンコードして取得画像記憶部６１に記憶させる。
【００２７】
画像解析部４３は、取得画像記憶部６１に記憶された動画像のデータに基づいて、画像を解析する。即ち、画像解析部４３は、取得画像記憶部６１に記憶された動画像のデータを、撮像画像（単位画像）を単位として順次デコードしつつ、デコードされた一連の撮像画像のデータをＲＡＭ１３に記憶し、当該一連の撮像画像を解析する。
具体的には、画像解析部４３は、ＲＡＭ１３に記憶された一連の撮像画像のデータの中から、ゴルフスイングの開始時点から終了時点までの動作についての撮像画像群のデータを抽出する。この理由は、一般に、ゴルフスイング動作を記録した一連の撮像画像のデータの中には、当該ゴルフスイングの開始前の動作及び終了後の動作のような解析に不要なデータが含まれている可能性があるからである。
次に、画像解析部４３は、抽出した撮像画像群のデータの夫々について、ゴルフクラブのヘッド画像（以下「ヘッド画像」と呼ぶ）の位置を座標データとして特定して、ＲＡＭ１３に記憶する。更に、画像解析部４３は、当該抽出した撮像画像群のデータの夫々が撮像された時刻（以下、「撮像時刻」と呼ぶ）を、ヘッド画像の座標データと対応付けてＲＡＭ１３に記憶する。次に、画像解析部４３は、ＲＡＭ１３に記憶された各撮像時刻とヘッド画像の各座標データとに基づいて、ヘッド画像の移動速度を撮像時刻毎に算出し、各撮像時刻とヘッド画像の各移動速度とを対応付けてＲＡＭ１３に記憶する。
更に、画像解析部４３は、各撮像時刻とヘッド画像の各移動速度とを対応付けたデータ（以下、「スイング解析データ」と呼ぶ）を解析データ記憶部６２に記憶する。
このようにして、プレーヤの解析結果のデータとしてのスイング解析データ（以下、「プレーヤのスイング解析データ」と呼ぶ）が、解析データ記憶部６２に記憶される。
なお、プロゴルファの解析結果のデータとしてのスイング解析データ（以下、「プロゴルファのスイング解析データ」と呼ぶ）は、上述したように、予め設定されて解析データ記憶部６２に記憶されている。
また、スイング解析データが可視化されると、図３及び図４に示すような、撮像時刻とヘッド画像の移動速度との対応関係のグラフが導出される。図３は、プロゴルファのスイング解析データを可視化したグラフである。また、図４は、プレーヤのスイング解析データを可視化したグラフである。
【００２８】
速度データ取得部４４は、画像解析部４３によって解析データ記憶部６２に記憶された、プレーヤのスイング解析データ及びプロゴルファのスイング解析データを読み出して、ＲＡＭ１３に記憶する。
【００２９】
特徴点特定部４５は、速度データ取得部４４よってＲＡＭ１３に記憶されたプレーヤのスイング解析データ及びプロゴルファのスイング解析データの夫々に基づいて、４種類の特徴点を特定する。この４種類の特徴点は、セットアップ時点、トップ時点、インパクト時点、及びフィニッシュ時点である。ここで、セットアップとは、ゴルフクラブのスイングが開始される時点のことをいう。トップとは、ゴルフクラブがセットアップ時点から振り上げられてから一旦静止される時点のことをいう。インパクトとは、トップの時点からゴルフクラブが振り下ろされてゴルフボールがショットされる時点のことをいう。本実施形態では、インパクトの時点では、ゴルフクラブのヘッドの速度は最大となる。フィニッシュとは、ゴルフボールがショットされた後ゴルフクラブのヘッドが停止した時点のことをいう。
したがって、図３及び図４に示すように、セットアップの時点とは、ヘッド画像の移動速度が０である時点での撮像時刻（以下、「速度０の撮像時刻」と呼ぶ）のうちの最先の撮像時刻（以下、「速度０の最先の撮像時刻」と呼ぶ）の時点のことをいう。また、トップの時点とは、速度０の撮像時刻のうちの２番目の撮像時刻（以下、「速度０の２番目の撮像時刻」と呼ぶ）の時点のことをいう。また、インパクトの時点とは、本実施形態において、ヘッド画像の移動速度が最大となる時点での撮像時刻（以下、「最大速度の撮像時刻」と呼ぶ）の時点のことをいう。また、フィニッシュの時点とは、速度０の撮像時刻のうちの３番目の撮像時刻（以下、「速度０の３番目の撮像時刻」と呼ぶ）の時点のことをいう。
なお、ここでいう速度０とは、厳密な速度０ではなく、所定の判断基準で速度０とみなすことができる速度も含む。
特徴点特定部４５は、ＲＡＭ１３に記憶されたプレーヤのスイング解析データ及びプロゴルファのスイング解析データの夫々について、速度０の撮像時刻と、最大速度の撮像時刻とに基づいて、当該４種類の特徴点を特定する。
具体的には、特徴点特定部４５は、速度０の最先の撮像時刻の時点をセットアップの時点として特定する。また、特徴点特定部４５は、速度０の２番目の撮像時刻の時点をトップの時点として特定する。また、特徴点特定部４５は、最大速度の撮像時刻の時点をインパクトの時点として特定する。更に、特徴点特定部４５は、速度０の３番目の撮像時刻の時点をフィニッシュの時点として特定する。
ここで、特徴点の特定の仕方として、図３、図４のように算出されたスイング解析データの傾向に基づいて各特徴点を特定したが、これに限られない。
例えば、プログルファやプレーヤのゴルフクラブに加速度／角加速度を検出できるセンサ部（図示せず）を取り付けることで、当該ゴルフクラブの速度を解析することにより、プログルファやプレーヤのスイング動作における各特徴点を特定するようにしても良い。  
【００３０】
リズム情報生成部４６は、特徴点特定部４５によって特定された各特徴点にリズム情報としての音データを対応付ける。例えば、リズム情報生成部４６は、プレーヤに対応する各特徴点について第１の音色を対応付け、プロゴルファに対応する各特徴点について第１の音色とは異なる第２の音色を対応付ける。この場合、特徴点ごとに音の高さ（以下、「音高」と呼ぶ）を変えてもよい。例えば、セットアップの時点での音高が１番低く、トップの時点での音高が２番目に低く、インパクトの時点での音高が３番目に低く、フィニッシュの時点での音高が１番高くなるようにしてもよい。
さらに、リズム情報生成部４６は、各特徴点に音データが対応付けられた、プレーヤのスイング解析データ及びプロゴルファのスイング解析データを、リズム情報記憶部６３に記憶させる。
【００３１】
再生部４７は、入力部１７から受信したユーザの指示操作の信号に応じて、プレーヤの動画像、及び／又は、プロゴルファの動画像を再生する。ここで、プレーヤの動画像のデータ、及びプロゴルファの動画像のデータは、取得画像記憶部６１に記憶されている。
再生部４７は、取得画像記憶部６１から、ユーザの指示操作に信号に応じた動画像のデータを読み込み、再生する。さらに、再生部４７は、再生された動画像の種類に対応したスイング解析データを、リズム情報記憶部６３から読み込む。
【００３２】
リズム情報報知部４８は、再生部４７によって再生された動画像のデータと、リズム情報記憶部６３から読み込んだスイング解析データとに基づいて、リズム情報としての音データを出力部１８に出力させる。具体的には、リズム情報報知部４８は、当該再生された動画像の再生タイミングと、当該読み込んだスイング解析データとを同期させることにより、動画像に各特徴点が表示されるタイミングで、リズム情報としての音データを出力部１８に出力させる。
これにより、再生された動画像がプレーヤの動画像のみである場合、各特徴点と同期して第１の音色で音が出力されるので、プレーヤのスイングの特徴を音により把握することが可能となる。
また、再生された動画像がプロゴルファの動画像のみである場合、各特徴点と同期して第２の音色で音が出力されるので、プロゴルファのスイングの特徴を音により把握することが可能となる。
さらに、再生された動画像がプレーヤ及びプロゴルファの動画像である場合、各特徴点と同期して第１の音色及び第２の音色で音が出力されるので、プレーヤとプロゴルファとのスイングの違いを音により把握することが可能となる。
【００３３】
［リズム情報報知処理］
続いて、情報生成装置１が実行するリズム情報報知処理について説明する。
図５は、図２の機能構成を有する図１の情報生成装置１が実行するリズム情報報知処理（メインフロー）の流れの一例を示すフローチャートである。
【００３４】
図５において、撮像部１６によって、連続的に撮像された被写体（プレーヤ）の動画像のデータが出力されると、次のようなステップＳ１乃至Ｓ４の処理が実行される。
【００３５】
ステップＳ１において、画像取得部４２は、撮像部１６から出力された動画像のデータを取得する。その後、画像取得部４２は、動画像のデータをエンコードして取得画像記憶部６１に記憶させる。
【００３６】
次に、ステップＳ２において、画像解析部４３は、ステップＳ１の処理で取得された動画像のデータに基づいて、ゴルフのスイングの開始時点から終了時点までの動作についての撮像画像群のデータを抽出して、ヘッド画像の移動速度と撮像時刻とを対応付けたデータであるスイング解析データを作成する。以下、このようなステップＳ２の画像解析部４３による処理を、図５の記載にあわせて「スイング解析処理」と呼ぶ。スイング解析処理の詳細については、図６を参照して後述する。
【００３７】
次に、ステップＳ３において、速度データ取得部４４等は、ステップＳ２の処理で作成されたプロゴルファ及びプレーヤのスイング解析データに基づいて、各特徴点を特定し、特定した特徴点におけるリズム情報としての音データを、プロゴルファ及びプレーヤの当該スイング解析データに対応付ける。このようなステップＳ３の速度データ取得部４４等による処理を、図５の記載にあわせて「リズム情報生成処理」と呼ぶ。リズム情報生成処理の詳細については、図７を参照して後述する。
【００３８】
次に、ステップＳ４において、再生部４７等は、プロゴルファ及び／又はプレーヤのゴルフスイングの動画像を再生するとともに、ステップＳ３の処理でリズム情報としての音データが対応付けられた、プロゴルファ及び／又はプレーヤのスイング解析データに基づいてリズム情報としての音データを出力部１８に出力させる。このようなステップＳ４の再生部４７等による処理を、図５の記載にあわせて「動画像再生処理」と呼ぶ。動画像再生処理の詳細については、図８を参照して後述する。
ステップＳ４の処理が終了すると、リズム情報報知処理が終了される。
【００３９】
［スイング解析処理］
次に、情報生成装置１が実行するスイング解析処理について説明する。
図６は、図２の機能構成を有する図１の情報生成装置１が実行するスイング解析処理（図５のステップＳ２の処理）の流れの一例を示すフローチャートである。
【００４０】
ステップＳ１１において、画像解析部４３は、取得画像記憶部６１に記憶された動画像のデータを、撮像画像（単位画像）を単位として順次デコードしつつ、デコードされた一連の撮像画像のデータをＲＡＭ１３に記憶する。
【００４１】
次に、ステップＳ１２において、画像解析部４３は、ＲＡＭ１３に記憶された一連の撮像画像のデータの中から、ゴルフスイングの開始時点から終了時点までの動作についての撮像画像群のデータを抽出する。
【００４２】
次に、ステップＳ１３において、画像解析部４３は、抽出した撮像画像群のデータの夫々についてヘッド画像の位置を座標データとしてＲＡＭ１３に記憶する。更に、画像解析部４３は、当該抽出した撮像画像群の夫々が撮像された時刻を、ヘッド画像の座標データと対応付けてＲＡＭ１３に記憶する。
【００４３】
次に、ステップＳ１４において、画像解析部４３は、ＲＡＭ１３に記憶された各撮像時刻とヘッド画像の各座標データとに基づいて、ヘッド画像の移動速度を撮像時刻毎に算出し、各撮像時刻とヘッド画像の各移動速度とを対応付けてＲＡＭ１３に記憶する。
更に、画像解析部４３は、各撮像時刻とヘッド画像の各移動速度とを対応付けたデータであるスイング解析データを解析データ記憶部６２に記憶する。
ステップＳ１４の処理が終了すると、スイング解析処理が終了される。
【００４４】
［リズム情報生成処理］
次に、情報生成装置１が実行するリズム情報生成処理について説明する。
図７は、図２の機能構成を有する図１の情報生成装置１が実行するリズム情報生成処理（図５のステップＳ３の処理）の流れの一例を示すフローチャートである。
【００４５】
ステップＳ２１において、速度データ取得部４４は、解析データ記憶部６２に記憶された、プレーヤのスイング解析データ及びプロゴルファのスイング解析データを読み出して、ＲＡＭ１３に記憶する。
【００４６】
次に、ステップＳ２２において、特徴点特定部４５は、ステップＳ２１においてＲＡＭ１３に記憶されたプレーヤのスイング解析データ及びプロゴルファのスイング解析データの夫々について、速度０の撮像時刻と、最大速度の撮像時刻とに基づいて、当該４種類の特徴点を特定する。この４種類の特徴点は、この４種類の特徴点は、セットアップ時点、トップ時点、インパクト時点、及びフィニッシュ時点である。
【００４７】
次に、ステップＳ２３において、リズム情報生成部４６は、ステップＳ２２において特定された各特徴点にリズム情報としての音データを対応付ける。例えば、リズム情報生成部４６は、プレーヤに対応する各特徴点について第１の音色を対応付け、プロゴルファに対応する各特徴点について第１の音色とは異なる第２の音色を対応付ける。
【００４８】
次に、ステップＳ２４において、リズム情報生成部４６は、ステップＳ２３において各特徴点に音データが対応付けられた、プレーヤのスイング解析データ及びプロゴルファのスイング解析データを、リズム情報記憶部６３に記憶させる。
ステップＳ２４の処理が終了すると、リズム情報生成処理が終了される。
【００４９】
［動画像再生処理］
次に、情報生成装置１が実行する動画像再生処理について説明する。
図８は、図２の機能構成を有する図１の情報生成装置１が実行する動画像再生処理（図５のステップＳ４の処理）の流れの一例を示すフローチャートである。
【００５０】
ステップＳ３１において、再生部４７は、プレーヤの動画像のみを再生させる信号、プロゴルファの動画像のみを再生させる信号、又は、プレーヤの動画像及びプロゴルファの動画像の両方を再生させるかを示す信号、を入力部１７を介するユーザの選択に応じて受信する。
【００５１】
ステップＳ３２において、再生部４７は、ステップＳ３１において受信した信号に基づいて、取得画像記憶部６１から、動画像のデータを読み込み、再生する。さらに、再生部４７は、再生された動画像の種類に対応したスイング解析データを、リズム情報記憶部６３から読み込む。
【００５２】
ステップＳ３３において、リズム情報報知部４８は、ステップＳ３２において再生部４７によって再生された動画像のデータと、ステップＳ３２においてリズム情報記憶部６３から読み込んだスイング解析データとに基づいて、リズム情報としての音データを出力部１８に出力させる。具体的には、リズム情報報知部４８は、当該再生された動画像の再生タイミングと、当該読み込んだスイング解析データとを同期させることにより、動画像に各特徴点が表示されるタイミングで、リズム情報としての音データを出力部１８に出力させる。
ステップＳ３３の処理が終了すると、動画像再生処理が終了される。
【００５３】
以上、本発明の第１実施形態について説明した。
以上のようなリズム情報処理を実行する情報生成装置１は、特徴点特定部４５と、リズム情報生成部４６とを備える。
特徴点特定部４５は、被験者の一連の動作における所定の動作の時点を特定する。
リズム情報生成部４６は、特徴点特定部４５により特定された所定の動作の時点に基づいて、当該一連の動作に関するリズム情報としての音データを生成する。
したがって、このような情報生成装置１は、被写体の一連の動作のデータを有効活用して、当該所定の動作の時点に基づいて、一連の動作に関するリズム情報としての音データを生成できる。
【００５４】
特徴点特定部４５は、当該複数の所定の動作の時点（セットアップ時点、トップ時点、インパクト時点、及びフィニッシュ時点）を特定し、
リズム情報生成部４６は、特徴点特定部４５により特定された複数の所定の動作の時点に基づいて、当該一連のゴルフスイングの動作のリズム情報としての音データを、当該一連のゴルフスイングの動作に関する情報として生成する。
したがって、このような情報生成装置１は、被写体の一連のゴルフスイングの動作に関するスイング解析データを有効活用して、当該複数の所定の動作の時点に基づいて、リズム情報としての音データを生成できる。
【００５５】
また、情報生成装置１は、再生部４７及びリズム情報報知部４８を更に備える。
再生部４７及びリズム情報報知部４８は、被験者の一連の動作が撮像された複数の画像をリズム情報生成部４６により生成されたリズム情報に同期させて再生する。
したがって、被験者の一連のゴルフスイングの動作が撮像された複数の画像が再生される際に、当該複数の所定の動作の時点と同期して音を出力することができるので、被験者の一連のゴルフスイングの動作の特徴を音により直感的に把握できる。
【００５６】
また、情報生成装置１は、画像取得部４２を更に備える。
画像取得部４２は、被験者の一連の動作が撮像された複数の画像を取得する。
特徴点特定部４５は、画像取得部４２により取得された複数の画像中の当該一連の動作における所定の動作の時点を特定する。
したがって、被験者の一連の動作のデータを有効活用できる。
【００５７】
［第２実施形態］
次に、本発明の第２実施形態について説明する。
以下、第２実施形態の説明において、本実施形態とは、第２実施形態のことをいう。
【００５８】
本発明の第２実施形態に係る情報生成装置１は、第１実施形態と同様のハードウェア構成を有している。即ち、図１は、第２実施形態に係る情報生成装置１のハードウェア構成も示している。なお、図１のハードウェア構成は説明済みであるので、ここではその説明は省略する。
【００５９】
図９は、図１に示した情報生成装置１の機能的構成のうち、リズム評価結果報知処理を実行するための機能的構成を示す機能ブロック図である。
リズム評価結果報知処理とは、撮像された動画像（複数の撮像画像）に含まれる被写体の動作の解析結果の情報に基づいて、プレーヤのゴルフのスイングの良し悪しを判定し、判定結果を報知するための一連の処理をいう。
本実施形態においては、情報生成装置１によって撮像された動画像に含まれるプレーヤのゴルフスイングの解析結果（以下、「プレーヤの解析結果」と呼ぶ）の情報について説明する。ただし、情報生成装置１によって過去に撮像された動画像に含まれる当該プレーヤのゴルフスイングの解析結果の情報についても適用可能である。
【００６０】
リズム評価結果報知処理が実行される場合には、図９に示すように、ＣＰＵ１１において、撮像制御部４１と、画像取得部４２と、画像解析部４３と、速度データ取得部４４と、特徴点特定部４５と、リズム解析部５１と、経過時間算出部５１１と、比率算出部５１２と、リズム評価部５２と、報知画像生成部５３と、報知部５４とが機能する。ここで、撮像制御部４１と、画像取得部４２と、画像解析部４３と、速度データ取得部４４と、特徴点特定部４５とは第１実施形態で説明したとおりである。
【００６１】
なお、図９は例示であり、ＣＰＵ１１の機能の少なくとも一部を、ＧＡ（Ｇｒａｐｈｉｃｓ  Ａｃｃｅｌｅｒａｔｏｒ）等の画像処理を行うハードウェアを備えて、これに委譲しても良い。
【００６２】
リズム評価結果報知処理が実行される場合、記憶部１９の一領域として設けられた、取得画像記憶部６１と、解析データ記憶部６２と、評価情報記憶部６４とが用いられる。ここで、取得画像記憶部６１と、解析データ記憶部６２と、は第１実施形態で説明したとおりである。
評価情報記憶部６４においては、プレーヤのゴルフのスイングが理想的である否かを判定するための評価情報（後述）が複数種類記憶されている。
【００６３】
撮像制御部４１と、画像取得部４２と、画像解析部４３と、速度データ取得部４４と、特徴点特定部４５とは第１実施形態と同様であるので、説明は省略する。以下、リズム解析部５１と、経過時間算出部５１１と、比率算出部５１２と、リズム評価部５２と、報知画像生成部５３と、報知部５４とについて説明する。
【００６４】
リズム解析部５１は、経過時間算出部５１１と比率算出部５１２とを備えている。
経過時間算出部５１１は、特徴点特定部４５によって特定された各特徴点間の経過時間を算出する。具体的には、経過時間算出部５１１は、セットアップの時点とトップの時点との間の経過時間（以下、「第１経過時間」という）を、セットアップの時点とトップの時点との間に撮像された撮像画像のフレーム数をフレームレートで除することで算出する。セットアップの時点とインパクトの時点との間の経過時間（以下、「第２経過時間」という）についても同様に算出される。
比率算出部５１２は、第１経過時間と第２経過時間との比率を算出する。即ち、第１経過時間を第２経過時間で除することで当該比率を算出する。
【００６５】
リズム評価部５２は、比率算出部５１２によって算出された比率を、評価情報に基づいて評価する。
ここで、図１４を参照して、評価情報について説明する。図１４は、評価情報が格納されたテーブルを示す図である。本実施形態における評価情報とは、理想的なゴルフのスイングがなされた場合における、第１経過時間と第２経過時間との比率の範囲の情報のことである。
実際には、当該比率の中で一番理想的な比率は約０．７５であることが分かっている。そこで、当該比率が０．７５から所定の範囲に属する場合に、理想的なスイングがなされたと判定される。図１４に示すように、当該テーブルには複数の範囲が格納されており、リズム評価部５２は、当該複数の範囲の中から１の範囲をランダムに選択して取得する。又は、リズム評価部５２は、当該１の範囲を入力部１７から受信したユーザの指示操作の信号に応じて選択して取得してもよい。
リズム評価部５２は、当該比率が選択された１の範囲に属している場合、理想的なスイングがなされたと判定する。さらに、当該比率が０．７５と略一致した場合、最も理想的なスイングがなされたと判定する。
なお、図１４では、５つの範囲が例示されているが、これに限られず、当該比率が０．７５から所定の範囲に属する限り、種々の範囲が設けられてもよい。
【００６６】
報知画像生成部５３は、リズム評価部５２により、当該比率が選択された評価情報の範囲に属して、理想的なスイングがなされたと判定された場合、図１５に示すような報知画像を生成する。図１５に示す報知画像には、出力部１８に理想的なスイングがなされたことを示す、親指が立てられた手の画像が、比率とともに表示されている。この例は、評価情報として、「０．７２＜比率＜０．７８」が選択されている場合の例である。
また、報知画像生成部５３は、リズム評価部５２により、当該比率が０．７５と略一致し、最も理想的なスイングがなされたと判定された場合、図１６に示すような報知画像を生成する。図１６に示す報知画像には、出力部１８に最も理想的なスイングがなされたことを示す、王冠の画像が、比率とともに表示されている。
また、報知画像生成部５３は、リズム評価部５２により、当該比率が選択された評価情報の範囲に属さなかった場合、当該王冠の画像などの比率に付随する画像を含まない報知画像（図示せず）を生成する。
【００６７】
報知部５４は、報知画像生成部５３によって生成された報知画像のデータを出力部１８から表示出力させることによって、報知画像をユーザに報知する。
【００６８】
［リズム評価結果報知処理］
続いて、情報生成装置１が実行するリズム評価結果報知処理について説明する。
図１０は、図９の機能構成を有する図１の情報生成装置１が実行するリズム評価結果報知処理（メインフロー）の流れの一例を示すフローチャートである。
【００６９】
図１０において、撮像部１６によって、連続的に撮像された被写体（プレーヤ）の動画像のデータが出力されると、次のようなステップＳ４１乃至Ｓ４４の処理が実行される。
【００７０】
ステップＳ４１及びステップＳ４２の処理は、第１実施形態の図５のステップＳ１及びステップＳ２と同様である。
【００７１】
ステップＳ４３において、速度データ取得部４４等は、ステップＳ４２の処理で作成されたプロゴルファ及びプレーヤのスイング解析データに基づいて、各特徴点を特定し、特定した特徴点に基づいて、第１経過時間と第２経過時間との比率を算出する。このようなステップＳ４３の速度データ取得部４４等による処理を、図１０の記載にあわせて「リズム解析処理」と呼ぶ。リズム解析処理の詳細については、図１２を参照して後述する。
【００７２】
次に、ステップＳ４４において、リズム評価部５２等は、ステップＳ４３の処理で算出された比率を、評価情報に基づいて評価し、評価結果に基づいて、報知画像を生成し、報知画像を出力部１８に出力させる。このようなステップＳ４４のリズム評価部５２等による処理を、図１０の記載にあわせて「報知処理」と呼ぶ。報知処理の詳細については、図１４を参照して後述する。
ステップＳ４４の処理が終了すると、リズム評価結果報知処理が終了される。
【００７３】
［スイング解析処理］
次に、情報生成装置１が実行するスイング解析処理について説明する。
図１１は、図９の機能構成を有する図１の情報生成装置１が実行するスイング解析処理（図１０のステップＳ４２の処理）の流れの一例を示すフローチャートである。
当該スイング解析処理が実行するステップＳ５１〜Ｓ５４の処理は、図６のスイング解析処理におけるステップＳ１１〜Ｓ１４の処理と同様である。
【００７４】
［リズム解析処理］
次に、情報生成装置１が実行するリズム解析処理について説明する。
図１２は、図９の機能構成を有する図１の情報生成装置１が実行するリズム解析処理（図１０のステップＳ４３の処理）の流れの一例を示すフローチャートである。
【００７５】
ステップＳ６１及びＳ６２の処理は、図７のリズム情報生成処理における、ステップＳ２１及びＳ２２の処理と同様である。
【００７６】
ステップＳ６３において、リズム解析部５１が備える経過時間算出部５１１は、ステップＳ６２において特定された各特徴点間の経過時間を算出する。具体的には、経過時間算出部５１１は、第１経過時間を、セットアップの時点とトップの時点との間に撮像された撮像画像のフレーム数をフレームレートで除することで算出する。第２経過時間についても同様に算出される。
【００７７】
次に、ステップＳ６４において、比率算出部５１２は、ステップＳ６３において算出された第１経過時間と第２経過時間とに基づいて、第１経過時間と第２経過時間との比率を算出する。即ち、第１経過時間を第２経過時間で除することで当該比率を算出する。
ステップＳ６４の処理が終了すると、リズム解析処理が終了される。
【００７８】
［報知処理］
次に、情報生成装置１が実行する報知処理について説明する。
図１３は、図９の機能構成を有する図１の情報生成装置１が実行する報知処理（図１０のステップＳ４４の処理）の流れの一例を示すフローチャートである。
【００７９】
ステップＳ７１において、リズム評価部５２は、図１４に示された、評価情報として第１経過時間と第２経過時間との比率の範囲の情報が複数格納されたテーブルから、１の範囲をランダムに取得する。又は、リズム評価部５２は、当該１の範囲を入力部１７から受信したユーザの指示操作の信号に応じて取得してもよい。
【００８０】
ステップＳ７２において、リズム評価部５２は、ステップＳ７１において取得された当該１の範囲に当該比率が属しているか否かを判定する。属していると判定された場合、リズム評価部５２は、理想的なスイングがなされたと判定する。さらに、当該比率が０．７５と略一致した場合、最も理想的なスイングがなされたと判定する。
【００８１】
ステップＳ７３において、報知画像生成部５３は、ステップＳ７２において、当該比率が選択された評価情報の範囲に属して、理想的なスイングがなされたと判定された場合、図１５に示すような報知画像を生成する。また、ステップＳ７３において、報知画像生成部５３は、ステップＳ７２において、当該比率が０．７５と略一致し、最も理想的なスイングがなされたと判定された場合、図１６に示すような報知画像を生成する。ステップＳ７３において、報知画像生成部５３は、ステップＳ７２において、当該比率が選択された評価情報の範囲に属さなかった場合、当該王冠の画像などの比率に付随する画像を含まない報知画像（図示せず）を生成する。
【００８２】
ステップＳ７４において、報知部５４は、ステップＳ７３において生成された報知画像のデータを出力部１８から表示出力させることによって、報知画像をユーザに報知する。
ステップＳ７４の処理が終了すると、報知処理が終了される。
【００８３】
以上、本発明の第２実施形態について説明した。
以上のようなリズム評価結果報知処理を実行する情報生成装置１は、特徴点特定部４５と、報知画像生成部５３とを備える。
特徴点特定部４５は、被験者の一連の動作における所定の動作の時点を特定する。
報知画像生成部５３は、特徴点特定部４５により特定された所定の動作の時点に基づいて、当該一連の動作に関する報知画像を生成する。
したがって、このような情報生成装置１は、被験者の一連の動作に関するスイング解析データを有効活用して、特定された所定の動作の時点に基づいて、当該一連の動作に応じた報知画像を生成できる。
【００８４】
また、情報生成装置１は、報知部５４を更に備える。
報知画像生成部５３は、一連のゴルフスイングの動作に関する情報として、当該一連のゴルフスイングの動作を評価する報知画像を生成する。
報知部５４は、報知画像生成部５３により生成された報知画像を出力部１８に表示出力させる。
したがって、このような情報生成装置１は、被験者の一連のゴルフスイングの動作に関するスイング解析データを有効活用して、特定された所定の動作の時点（セットアップ時点、トップ時点、及びインパクト時点）に基づいて、当該一連のゴルフスイングの動作を評価する報知画像を生成できる。
【００８５】
また、情報生成装置１は、評価情報記憶部６４と、リズム解析部５１と、リズム評価部５２と、を更に備える。
特徴点特定部４５は、複数の所定の動作の時点（セットアップ時点、トップ時点、及びインパクト時点）を特定する。
評価情報記憶部６４は、前記一連のゴルフスイングの動作を評価する複数の情報を記憶する。
リズム解析部５１は、特徴点特定部４５により特定された当該複数の所定の動作の時点に基づいて、当該一連のゴルフスイングの動作のリズムを解析する。即ち、リズム解析部５１は、セットアップの時点とトップの時点との間の経過時間と、セットアップの時点とインパクトの時点との間の経過時間との比率を算出する。
リズム評価部５２は、リズム解析部５１による解析結果である当該比率に基づいて、評価情報記憶部６４に記憶された複数の評価情報から特定の評価情報を選択する。
報知画像生成部５３は、リズム評価部５２により選択された特定の情報に基づいて、当該一連のゴルフスイングの動作を評価する報知画像を生成する。
したがって、このような情報生成装置１は、セットアップの時点とトップの時点との間の経過時間と、セットアップの時点とインパクトの時点との間の経過時間との比率、及び、当該一連のゴルフスイングの動作を評価する情報に基づいて、当該一連のゴルフスイングの動作に応じた報知画像を生成できる。
したがって、ユーザは、理想的なゴルフスイングがなされているか否かを把握できる。
【００８６】
また、情報生成装置１は、画像取得部４２を更に備える。
画像取得部４２は、被験者の一連の動作が撮像された複数の画像を取得する。
特徴点特定部４５は、画像取得部４２により取得された複数の画像中の当該一連の動作における所定の動作の時点を特定する。
したがって、被験者の一連の動作のデータを有効活用できる。
【００８７】
なお、本発明は、上述の第１及び第２実施形態に限定されるものではなく、本発明の目的を達成できる範囲での変形、改良等は本発明に含まれるものである。
【００８８】
例えば、情報生成装置１は、特定した特徴点がゴルフスイングがどの動作に対応するのかの情報（特定された特徴点がトップに対応することを報知する旨の情報）や、特定した特徴点間の情報（トップ〜インパクト間の時間の情報等）を生成して表示出力しても良い。
また、例えば、情報生成装置１は、撮影日時ごとに、第１経過時間と第２経過時間との比率を複数、記憶部１９に記憶させておき、当該複数の比率の平均値の画像を含む報知画像（図１７参照）を生成し、生成した報知画像を出力部１８に出力させてもよい。
【００８９】
また、上述の第１及び第２実施形態では、ゴルフスイングが写された動画像のデータを対象として、本発明を適用する場合を例に挙げて説明したが、本発明は、種々の動作の比較に適用することができる。例えば、野球のバットのスイング、テニスのラケットのスイングあるいはダンスの振り付け等の動作を比較する場合に適用することが可能である。
【００９０】
また、上述の第１及び第２実施形態では、本発明が適用される情報生成装置１は、デジタルカメラを例として説明したが、特にこれに限定されない。
例えば、本発明は、画像処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、ポータブルゲーム機等に適用可能である。
【００９１】
上述した一連の処理は、ハードウェアにより実行させることもできるし、ソフトウェアにより実行させることもできる。
換言すると、図２及び図９の機能的構成は例示に過ぎず、特に限定されない。即ち、上述した一連の処理を全体として実行できる機能が情報生成装置１に備えられていれば足り、この機能を実現するためにどのような機能ブロックを用いるのかは特に図２及び図９の例に限定されない。
また、１つの機能ブロックは、ハードウェア単体で構成しても良いし、ソフトウェア単体で構成しても良いし、それらの組み合わせで構成しても良い。
【００９２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであっても良い。また、コンピュータは、各種のプログラムをインストールすることで、各種の機能を実行することが可能なコンピュータ、例えば汎用のパーソナルコンピュータであっても良い。
【００９３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００９４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００９５】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００９６】
以下に、本願の出願当初の特許請求の範囲に記載された発明を付記する。
［付記１］
被験者の一連の動作における所定の動作の時点を特定する特定手段と、
前記特定手段により特定された所定の動作の時点に基づいて、前記一連の動作に関する情報を生成する生成手段と、
を備えることを特徴とする情報生成装置。
［付記２］
前記特定手段は、前記複数の所定の動作の時点を特定し、
前記生成手段は、前記特定手段により特定された複数の所定の動作の時点に基づいて、当該一連の動作のリズム情報を前記一連の動作に関する情報として生成することを特徴とする付記１に記載の情報生成装置。
［付記３］
前記被験者の一連の動作が撮像された複数の画像を前記生成手段により生成されたリズム情報に同期させて再生する再生手段を更に備えたことを特徴とする付記２に記載情報生成装置。
［付記４］
前記生成手段は、前記一連の動作に関する情報として、当該一連の動作を評価する情報を生成し、
前記生成手段により生成された情報を表示手段に表示させる表示制御手段を更に備えたことを特徴とする付記１に記載の情報生成装置。
［付記５］
前記特定手段は、前記複数の所定の動作の時点を特定し、
前記一連の動作を評価する複数の情報を記憶する記憶手段と、
前記特定手段により特定された複数の所定の動作の時点に基づいて、前記一連の動作のリズムを解析する解析手段と、
前記解析手段による解析結果に基づいて、前記記憶手段に記憶された複数の評価情報から特定の評価情報を選択する選択手段と、
を更に備え、
前記生成手段は、前記選択手段により選択された特定の情報に基づいて、前記一連の動作を評価する情報を生成することを特徴とする付記４に記載の情報生成装置。
［付記６］
前記被験者の一連の動作が撮像された複数の画像を取得する取得手段を更に備え、
前記特定手段は、前記取得手段により取得された複数の画像中の前記一連の動作における所定の動作の時点を特定することを特徴とする付記１から５の何れかに記載の情報生成装置。
［付記７］
情報生成装置が実行する情報生成方法であって、
被験者の一連の動作における所定の時点を特定する特定ステップと、
前記特定ステップにて特定された所定の時点に基づいて、前記一連の動作に関する情報を生成する生成ステップと、
を含むことを特徴とする情報生成方法。
［付記８］
コンピュータに、
被験者の一連の動作における所定の時点を特定する特定ステップと、
前記特定ステップにて特定された所定の時点に基づいて、前記一連の動作に関する情報を生成する生成ステップと、
を実行させるプログラム。
【符号の説明】
【００９７】
１・・・情報生成装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，４１・・・撮像制御部，４２・・・画像取得部，４３・・・画像解析部，４４・・・速度データ取得部，４５・・・特徴点特定部，４６・・・リズム情報生成部，４７・・・再生部，４８・・・リズム情報報知部，５１・・・リズム解析部，５１１・・・経過時間算出部，５１２・・・比率算出部，５２・・・リズム評価部，５３・・・報知画像生成部，５４・・・報知部，６１・・・取得画像記憶部，６２・・・解析データ記憶部，６３・・・リズム情報記憶部，６４・・・評価情報記憶部
【図１】
2014064123.tif 000003
【図２】
2014064123.tif 000004
【図３】
2014064123.tif 000005
【図４】
2014064123.tif 000006
【図５】
2014064123.tif 000007
【図６】
2014064123.tif 000008
【図７】
2014064123.tif 000009
【図８】
2014064123.tif 000010
【図９】
2014064123.tif 000011
【図１０】
2014064123.tif 000012
【図１１】
2014064123.tif 000013
【図１２】
2014064123.tif 000014
【図１３】
2014064123.tif 000015
【図１４】
2014064123.tif 000016
【図１５】
2014064123.tif 000017
【図１６】
2014064123.tif 000018
【図１７】
2014064123.tif 000019